(57)【要約】【課題】流体圧アシスト機構を備えると共に、燃料供給停止時の燃費を向上させると共に、ドライバビリティの悪化を回避するようにした流体圧アシスト車両の変速制御装置を提供する。【解決手段】車両搭載エンジンに連結されるポンプ／モータとアキュムレータを備え、減速時にはポンプ／モータをポンプとして動作させ、流体圧を吐出させてアキュムレータに蓄圧させる一方、発進時などにはモータとして動作させ、蓄圧された流体圧でエンジンの駆動をアシストする装置において、車両が減速状態にあるか否か判定し（Ｓ１０）、減速状態にあるとき、流体圧アシスト機構に減速エネルギを回生させるべきか否か判定し（Ｓ１２）、回生させるべきと判定されるとき、エンジン回転数の目標値をエンジンへの燃料供給停止が可能となる範囲に算出し（Ｓ１６）、その回転数となるように自動変速機の変速比を増大側に制御する。【選択図】図４
2014105762.tif 000002
【特許請求の範囲】
【請求項１】
車両に搭載されるエンジンと、前記エンジンに接続され、前記エンジンの出力を変速して駆動輪に伝達する自動変速機と、運転者の操作自在に設けられるブレーキと、前記エンジンに連結されると共に、流体圧供給回路に配置される流体圧ポンプ／モータと、前記流体圧供給回路において前記流体圧ポンプ／モータに接続されるアキュムレータと、前記流体圧供給回路に介挿されて通電されるときに前記流体圧ポンプ／モータの動作をポンプとモータの間で切り換える電磁切換弁とを備え、前記車両の減速時には前記電磁切換弁を介して前記流体圧ポンプ／モータを前記エンジンで駆動されるポンプとして動作させ、流体圧を吐出させて前記アキュムレータに蓄圧させることで減速エネルギを回生する一方、前記車両の発進時または加速時には前記電磁切換弁を介して前記流体圧ポンプ／モータをモータとして動作させ、前記アキュムレータに蓄圧された流体圧で前記エンジンの駆動をアシストする流体圧アシスト機構とを備えた流体圧アシスト車両の変速制御装置において、前記車両が減速状態にあるか否か判定する車両減速状態判定手段と、前記車両が減速状態にあると判定されるとき、前記流体圧アシスト機構に前記減速エネルギを回生させるべきか否か判定する減速回生要否判定手段と、前記流体圧アシスト機構に前記減速エネルギを回生させるべきと判定されるとき、前記エンジンの回転数の目標値を前記エンジンへの燃料供給停止が可能となる範囲に算出する目標エンジン回転数算出手段と、前記算出された目標エンジン回転数となるように前記自動変速機の変速比を減少側に制御する変速比制御手段とを備えたことを特徴とする流体圧アシスト車両の変速制御装置。
【請求項２】
前記目標エンジン回転数算出手段は、前記エンジンの回転数の目標値を、前記エンジンへの燃料供給停止を実行するときの回転数以上の値として算出することを特徴とする請求項１記載の流体圧アシスト車両の変速制御装置。
【請求項３】
前記目標エンジン回転数算出手段は、少なくとも運転者による前記ブレーキの液圧と前記車両の走行速度とに基づいて前記エンジンの回転数の目標値を算出することを特徴とする請求項１または２記載の流体圧アシスト車両の変速制御装置。
【発明の詳細な説明】
【技術分野】
【０００１】
この発明は流体圧アシスト車両の変速制御装置に関する。
【背景技術】
【０００２】
従来から、特許文献１記載の技術の如く、車両に搭載されるエンジンに連結される流体圧ポンプ／モータとアキュムレータを備え、車両の減速時に流体圧ポンプ／モータをエンジンで駆動されるポンプとして動作させて流体圧をアキュムレータに蓄圧させることで減速エネルギを回生する一方、発進時または加速時には流体圧ポンプ／モータをモータとして動作させ、アキュムレータに蓄圧された流体圧でエンジンの駆動をアシストする流体圧アシスト機構を備えた車両は良く知られている。
【０００３】
また、特許文献２記載の技術において、エンジンと電動機からなる駆動源を備えた自動変速機の制御装置において、従来、エンジン回転数が燃料供給停止を開始したときのエンジン回転数を下回るとき、エンジン回転数を上昇させていた不都合に鑑み、燃料供給停止可能な範囲までエンジン回転数を低下させるように自動変速機の変速比を制御して燃費向上を図ることが提案される。
【先行技術文献】
【特許文献】
【０００４】
【特許文献１】特開平７−１３７５５８号公報
【特許文献２】特許第４６１３１５２号公報
【発明の概要】
【発明が解決しようとする課題】
【０００５】
特許文献１記載の技術において、特許文献２記載の技術のように燃費向上を意図して自動変速機を制御することで燃料供給停止時のエンジン回転数を目標値に制御しようとすると、流体圧アシスト機構のアキュムレータはエネルギ密度は低いものの、出力密度は高いことから、減速トルクが過大となってドライバビリティが悪化する場合があった。
【０００６】
従って、この発明の目的は上記した不都合を解消し、流体圧アシスト機構を備え、燃料供給停止時の燃費を向上させると共に、ドライバビリティの悪化を回避するようにした流体圧アシスト車両の変速制御装置を提供することにある。
【課題を解決するための手段】
【０００７】
上記の目的を達成するために、請求項１にあっては、車両に搭載されるエンジンと、前記エンジンに接続され、前記エンジンの出力を変速して駆動輪に伝達する自動変速機と、運転者の操作自在に設けられるブレーキと、前記エンジンに連結されると共に、流体圧供給回路に配置される流体圧ポンプ／モータと、前記流体圧供給回路において前記流体圧ポンプ／モータに接続されるアキュムレータと、前記流体圧供給回路に介挿されて通電されるときに前記流体圧ポンプ／モータの動作をポンプとモータの間で切り換える電磁切換弁とを備え、前記車両の減速時には前記電磁切換弁を介して前記流体圧ポンプ／モータを前記エンジンで駆動されるポンプとして動作させ、流体圧を吐出させて前記アキュムレータに蓄圧させることで減速エネルギを回生する一方、前記車両の発進時または加速時には前記電磁切換弁を介して前記流体圧ポンプ／モータをモータとして動作させ、前記アキュムレータに蓄圧された流体圧で前記エンジンの駆動をアシストする流体圧アシスト機構とを備えた流体圧アシスト車両の変速制御装置において、前記車両が減速状態にあるか否か判定する車両減速状態判定手段と、前記車両が減速状態にあると判定されるとき、前記流体圧アシスト機構に前記減速エネルギを回生させるべきか否か判定する減速回生要否判定手段と、前記流体圧アシスト機構に前記減速エネルギを回生させるべきと判定されるとき、前記エンジンの回転数の目標値を前記エンジンへの燃料供給停止が可能となる範囲に算出する目標エンジン回転数算出手段と、前記算出された目標エンジン回転数となるように前記自動変速機の変速比を減少側に制御する変速比制御手段とを備える如く構成した。
【０００８】
請求項２に係る流体圧アシスト車両の変速制御装置にあっては、前記目標エンジン回転数算出手段は、前記エンジンの回転数の目標値を、前記エンジンへの燃料供給停止を実行するときの回転数以上の値として算出する如く構成した。
【０００９】
請求項３に係る流体圧アシスト車両の変速制御装置にあっては、前記目標エンジン回転数算出手段は、少なくとも運転者による前記ブレーキの液圧と前記車両の走行速度とに基づいて前記エンジンの回転数の目標値を算出する如く構成した。
【発明の効果】
【００１０】
請求項１に係る流体圧アシスト車両の変速制御装置にあっては、車両が減速状態にあるか否か判定し、減速状態にあると判定されるとき、流体圧アシスト機構に減速エネルギを回生させるべきか否か判定し、回生させるべきと判定されるとき、エンジンの回転数の目標値をエンジンへの燃料供給停止が可能となる範囲に算出すると共に、算出された目標エンジン回転数となるように自動変速機の変速比を減少（ハイ）側に制御する如く構成したので、車両が減速状態にあると判定されるとき、エンジンの回転数の目標値をエンジンへの燃料供給停止が可能となる範囲に算出し、算出された目標エンジン回転数となるように自動変速機の変速比を減少側に制御することで燃料供給量を減少させて燃費を向上させることができる。
【００１１】
また、流体圧アシスト機構がエンジンに連結される流体圧ポンプ／モータと、それに接続されるアキュムレータからなるように構成、換言すれば流体圧アシスト機構がエンジン端側に接続されるように構成したので、自動変速機の変速比を減少（ハイ）側に制御することで、運転者が受ける（アキュムレータによる減速エネルギの回生時の）減速感を低減させることができ、ドライバビリティの悪化を防止することができる。
【００１２】
また、エンジン回転数の目標値をエンジンへの燃料供給停止が可能となる範囲に算出、換言すれば低い値に算出するため、駆動輪側のトルクに対してエンジン側のトルクを相対的に増加させることができ、よって流体圧ポンプ／モータの回転数を下げてアキュムレータに蓄圧される流体圧を増加させることが可能となる。
【００１３】
請求項２に係る流体圧アシスト車両の変速制御装置にあっては、エンジンの回転数の目標値を、エンジンへの燃料供給停止を実行するときの回転数以上の値として算出する如く構成したので、上記した効果に加え、燃費を確実に向上させることができる。
【００１４】
請求項３に係る流体圧アシスト車両の変速制御装置にあっては、少なくとも運転者によるブレーキの液圧と車両の走行速度とに基づいてエンジンの回転数の目標値を算出する如く構成したので、上記した効果に加え、燃費を確実に向上させることができる。
【図面の簡単な説明】
【００１５】
【図１】この発明の実施例に係る流体圧アシスト車両の変速制御装置を全体的に示す概略図である。
【図２】図１に示す装置の中のＨＡＳ（流体圧アシスト機構）の動作を示す油圧回路図である。
【図３】図１に示す装置の中のＣＶＴコントローラの動作を示す説明図である。
【図４】図１に示す装置の中のＣＶＴコントローラの動作を示すフロー・チャートである。
【図５】図４フロー・チャートで使用される目標エンジン回転数の特性を示す説明図である。
【図６】図４に示す処理を示すタイム・チャートである。
【発明を実施するための形態】
【００１６】
以下、添付図面に即してこの発明に係る流体圧アシスト車両の変速制御装置を実施するための形態を説明する。
【実施例】
【００１７】
図１は、この発明の実施例に係る流体圧アシスト車両の変速制御装置を全体的に示す概略図、図２は図１に示す装置の中のＨＡＳ（流体圧アシスト機構）の動作を示す油圧回路図である。
【００１８】
図１において、符号１０はエンジンを示す。エンジン１０は４気筒を有する火花点火式のガソリンを燃料とする内燃機関からなり、左右の駆動輪（前輪。左右の一方のみ示す）１２を備えた車両１４に搭載される。車両１４はエンジン１０や駆動輪１２などで部分的に示す。
【００１９】
エンジン１０の吸気系に配置されたスロットルバルブ１６は車両運転席床面に配置されるアクセルペダル２０との機械的な接続が絶たれ、電動モータなどのアクチュエータからなるＤＢＷ（Drive By Wire）機構２２に接続され、ＤＢＷ機構２２で開閉される。
【００２０】
スロットルバルブ１６で調量された吸気はインテークマニホルド２４を通って流れ、各気筒の吸気ポート付近でインジェクタ（図示せず）から噴射された燃料と混合して混合気を形成し、吸気バルブ（図示せず）が開弁されるとき、当該気筒の燃焼室（図示せず）に流入する。燃焼室において混合気は点火されて燃焼し、ピストンを駆動してクランクシャフト１０ａを回転させた後、排気となってエンジン１０の外部に放出される。
【００２１】
クランクシャフト１０ａの回転はトルクコンバータ２６を介して無段変速機（Continuously Variable Transmission。以下「ＣＶＴ」という）３０に入力される。図示は省略するが、ＣＶＴ３０はトルクコンバータ２６に接続されるメインシャフト（変速機入力軸）に配置されたドライブプーリと、メインシャフトＭＳに平行なカウンタシャフト（変速機出力軸）に配置されたドリブンプーリと、その間に掛け渡される金属製のベルトなどの無端可撓部材からなる。
【００２２】
カウンタシャフトＣＳの回転はセカンダリシャフトに固定されたギヤなどを介してディファレンシャル３２に伝えられ、そこから左右の駆動輪１２に伝えられる。駆動輪（前輪）１２と従動輪（後輪。図示せず）の付近にはディスクブレーキ（ブレーキ）３４が配置される。ディスクブレーキ３４はブレーキパッドが組み込まれたキャリパ３４ａと、それに接触して制動するディスクロータ３４ｂなどを備える。
【００２３】
車両運転席床面にはブレーキペダル３６が配置される。ブレーキペダル３６はマスタバック４０とマスタシリンダ４２を介してディスクブレーキ３４に接続される。マスタシリンダ４２は、ブレーキ液を貯留するリザーバ４２ａとリザーバ４２ａに貯留されるブレーキ液が充満される油室内を摺動自在なピストン（図示せず）を備える。運転者がブレーキペダル３６を踏み込むと、その踏み込み力はマスタバック４０で増力されてマスタシリンダ４２に伝えられる。
【００２４】
マスタシリンダ４２のピストンは増力された踏み込み力に相当する距離だけストロークする。ピストンのストロークによって生成されたブレーキ液圧（ブレーキ液の圧力）は導管４２ｂを介して駆動輪１２のディスクブレーキ３４に送られ、ディスクブレーキ３４を動作させ、車両１４を制動（減速）する。
【００２５】
また、ブレーキペダル３６とマスタバック４０とマスタシリンダ４２からなる（運転者に操作自在な）ブレーキ機構に加え、ディスクブレーキ３４はＢＢＷ（Brake By Wire）機構４４にも接続され、ＢＢＷ機構４４から導管４４ａを介してブレーキ液圧を送られるとき、動作して車両１４を制動する。
【００２６】
エンジン１０にはＨＡＳ（Hydraulic Assist System。流体圧アシスト機構）５０が接続される。
【００２７】
ＨＡＳ５０は、流体圧供給回路５２に配置される流体圧ポンプ／モータ５４と、流体圧供給回路５２において流体圧ポンプ／モータ５４に接続されるアキュムレータ５６と、流体圧供給回路５２に介挿されると共に、通電されるときに流体圧ポンプ／モータ５４の動作をポンプとモータの間で切り換える電磁切換弁６０と、電磁クラッチ６２とを備える。流体圧ポンプ／モータ５４は外接型のギヤポンプからなる。以下、流体圧ポンプ／モータ５４を単に「ポンプ」５４という。
【００２８】
作動流体としてはエンジン１０の潤滑油（エンジンオイル。作動油）が用いられることから、ＨＡＳ５０はエンジン１０のシリンダブロック（図示せず）の重力方向において下部に取り付けられ、潤滑油を貯留するオイルパンの内部に収容される。
【００２９】
尚、ポンプ５４に加え、流体圧供給回路５２には第２の油圧ポンプが配置され、エンジン１０で駆動されてオイルパンから潤滑油を汲み上げてエンジン１０の各部に供給すると共に、ＣＶＴ３０の流体圧供給回路には別の油圧ポンプが配置され、同様にエンジン１０で駆動されてリザーバから作動油（ＡＴＦ）を汲み上げてトルクコンバータ２６やＣＶＴ３０に供給するが、それら油圧ポンプはこの実施例と直接の関連を有しないことから、図示は省略する。
【００３０】
エンジン１０のクランクシャフト１０ａには第１スプロケット５４ａが固定されると共に、ポンプ５４の出力軸５４ｂには第２スプロケット５４ｃが固定され、第１、第２スプロケット５４ａ，５４ｃの間にはチェーン５４ｄが掛け渡される。このように、ポンプ５４は第１、第２スプロケット５４ａ，５４ｃとチェーン５４ｄを介してエンジン１０に連結されると共に、エンジン１０を介してさらには駆動輪１２に連結される。第１スプロケット５４ａと第２スプロケット５４ｃの回転比は１：１．３とする。
【００３１】
第２スプロケット５４ｃとポンプ５４の出力軸５４ｂの間には、前記した電磁クラッチ６２が介挿される。電磁クラッチ６２はバッテリ（図示せず）から通電されるとき、第２スプロケット５４ｃとポンプ５４の出力軸５４ｂを接続する一方、通電を停止されるとき、第２スプロケット５４ｃとポンプ５４の出力軸５４ｂの接続を遮断する。第１、第２スプロケット５４ａ，５４ｃ、ポンプ５４の出力軸５４ｂ、電磁クラッチ６２などはシリンダブロックの外部に配置される。
【００３２】
ＨＡＳ５０は、車両１４の減速時には電磁切換弁６０を介して流体圧ポンプ／モータ５４をエンジン１０（または駆動輪１２）で駆動されるポンプとして動作させ、油圧（流体圧）を吐出させてアキュムレータ５６に蓄圧させることで減速エネルギを回生する一方、車両１４の発進時または加速時には電磁切換弁６０を介して流体圧ポンプ／モータ５４をモータとして動作させ、アキュムレータ５６に蓄圧された流体圧でエンジン１０の駆動（回転）をアシストするように構成される。
【００３３】
アキュムレータ５６は内部に窒素ガスが封入されて公知のようにボンベ状の形状を備える。ＨＡＳ５０は、蓄圧容量を可能な限り増加させるため、アキュムレータ５６を複数個備える。
【００３４】
電磁切換弁６０は、図２（ａ）に模式的に示す如く、バルブ体（図示せず）の内部に摺動自在に収容されるスプール６０ａを備える。スプール６０ａは一端において電磁ソレノイド６０ｂ１のプランジャ６０ｂ１１が当接させられると共に、バネ６０ｃ１で他端に向けて付勢される。また、スプール６０ａは他端において電磁ソレノイド６０ｂ２のプランジャ６０ｂ２１が当接させられると共に、バネ６０ｃ２で一端に向けて付勢される。
【００３５】
電磁切換弁６０にあっては、バッテリ６４からの電流供給（通電。励磁）あるいは電流供給の停止（非通電。消磁）によって電磁ソレノイド６０ｂ１あるいは６０ｂ２がプランジャ６０ｂ１１あるいは６０ｂ２１を突出させると、スプール６０ａはそれに応じて一端側と他端側の間で進退するように構成される。
【００３６】
図２を参照して説明すると、電磁切換弁６０は、ポンプ５４をモータとして動作させる駆動時（発進時または加速時。同図（ｂ））と、ポンプとして動作させる回生時（減速時。同図（ｃ））と、その間の中立時（ポンプ５４とアキュムレータ５６の非接続時。同図（ａ））に応じて必要な作動油の流路が確立されるようにスプール６０ａを移動させるべく電磁ソレノイド６０ｂ１，６０ｂ２の通電が制御される。
【００３７】
以下、詳細に説明すると、流体圧供給回路５２において電磁切換弁６０のスプール６０ａは、第１、第２、第３、第４、第５、第６ポート６０ａ１，６０ａ２，６０ａ３，６０ａ４，６０ａ５，６０ａ６からなる６個のポートが形成されるランド形状を備える。
【００３８】
第５、第６ポート６０ａ５，６０ａ６は、スプール６０ａの位置に関わらず、常に接続される一方、第１ポート６０ａ１から第４ポート６０ａ４の接続はスプール６０ａの位置に応じて切り換えられる。
【００３９】
第１ポート６０ａ１は図２（ａ）（ｂ）（ｃ）に示すように油路５２ａを介してリザーバ（オイルパン）５２ｂに接続され、第２ポート６０ａ２は一方では図２（ｂ）に示すようにポンプ５４の吐出圧を適宜調圧する元圧絞り部５２ｃを介してアキュムレータ５６に接続され、他方では油路５２ｄを介してポンプ５４の入力（ｉｎｌｅｔ）側に接続される。
【００４０】
第３ポート６０ａ３は一方では図２（ｃ）に示すようにアキュムレータ５６に接続され、他方では逆止弁５２ｅと油路５２ｆとを介してポンプ５４の出力（ｏｕｔｌｅｔ）側に接続される。第４ポート６０ａ４は油路５２ｇ，５２ｄを介してポンプ５４の入力側に接続される。
【００４１】
第５ポート６０ａ５は油路５２ｈを介してポンプ５４の出力側に接続される。第６ポートは油路５２ｉを介してエンジン（Ｅ）１０、より具体的にはそのピストン、コンロッドなどの潤滑必要部分に接続され、さらには油路５２ｊを介して（具体的にはシリンダブロック内をコンロッドなどに沿って滴下して）リザーバ５２ｂに接続される。
【００４２】
図２（ｃ）に示す如く、第５、第６ポート６０ａ５，６０ａ６の間にはポンプ５４の吐出圧が過大となるとき、それをリリーフさせるリリーフ圧絞り部５２ｋが形成される。
【００４３】
車両１４がエンジン低負荷状態で走行する場合などは図２（ａ）に示す中立時とされ、電磁ソレノイド６０ｂ１，６０ｂ２への通電は停止される。
【００４４】
中立時にあっては、第１、第２ポート６０ａ１，６０ａ２は接続されると共に、第２ポート６０ａ２（あるいは第３ポート６０ａ３）を介してのポンプ５４とアキュムレータ５６の接続は断たれ、ポンプ５４はエンジン１０（または駆動輪１２）で駆動される通常の油圧ポンプとして動作する。
【００４５】
即ち、ポンプ５４はエンジン１０などで駆動されてリザーバ５２ｂから油路５２ａ，５２ｄを介して作動油（潤滑油）を汲み上げ、油路５２ｈに吐出する。吐出された作動油（油圧）は油路５２ｉを介してエンジン１０の潤滑必要部分に供給され、油路５２ｊを介してリザーバ５２ｂに戻る。
【００４６】
他方、車両１４が減速する場合、図２（ｃ）に示す回生時とされ、図２（ａ）に示す電磁ソレノイド６０ｂ１が通電され、スプール６０ａは他方（図２において右方）に駆動される。
【００４７】
回生時にあっては、中立時と同様、第１、第２ポート６０ａ１，６０ａ２は接続され、ポンプ５４はエンジン１０（または駆動輪１２）で駆動される通常の油圧ポンプとして動作し、リザーバ５２ｂから油路５２ａ，５２ｄを介して作動油を汲み上げて油路５２ｈに吐出する。
【００４８】
吐出された作動油はエンジン１０の潤滑必要部分に供給された後、リザーバ５２ｂに戻される。このとき、第３ポート６０ａ３を介してポンプ５４とアキュムレータ５６は接続されることから、油路５２ｈに吐出された作動油（油圧）は油路５２ｆを通り、逆止弁５２ｅを押し上げつつ通過してアキュムレータ５６に供給され、そこに蓄圧される（減速エネルギが回生される）。
【００４９】
また、車両１４が発進あるいは加速する場合、図２（ｂ）に示す駆動時とされ、図２（ａ）に示す電磁ソレノイド６０ｂ２が通電され、スプール６０ａは一方（図２において左方）に駆動される。駆動時にあっては、第１、第２ポート６０ａ１，６０ａ２の接続は断たれ、第２ポート６０ａ２はアキュムレータ５６に接続される。また第３、第４ポート６０ａ３，６０ａ４は接続される。
【００５０】
その結果、ポンプ５４にはアキュムレータ５６に蓄圧された作動油（油圧）が油路５２ｄを介して供給され、ポンプ５４を回転させる。ポンプ５４から出力される作動油（油圧）は油路５２ｈを介してエンジン１０とリザーバ５２ｂに供給される一方、油路５２ｆ、逆止弁５２ｅ、第３、第４ポート６０ａ３，６０ａ４を介してポンプ５４に戻される。
【００５１】
図１の説明に戻ると、このように駆動時にはポンプ５４は油圧モータとして動作させられる。ポンプ５４の回転は出力軸５４ｂから電磁クラッチ６２、第１、第２スプロケット５４ａ，５４ｃ、チェーン５４ｄを介してエンジン１０のクランクシャフト１０ａに伝達され、エンジン１０（さらには場合により駆動輪１２）の駆動（回転）をアシストする。
【００５２】
エンジン１０のカム軸（図示せず）付近などの適宜位置にはクランク角センサ７０が設けられ、ピストンの所定クランク角度位置ごとにエンジン回転数ＮＥを示す信号を出力する。吸気系においてスロットルバルブ１６の下流の適宜位置には絶対圧センサ７２が設けられ、吸気管内絶対圧（エンジン負荷）ＰＢＡに比例した信号を出力する。
【００５３】
ＤＢＷ機構２２のアクチュエータにはスロットル開度センサ７４が設けられ、アクチュエータの回転量を通じてスロットルバルブ１６の開度ＴＨに比例した信号を出力する。
【００５４】
上記したクランク角センサ７０などの出力は、エンジンコントローラ８０に送られる。エンジンコントローラ８０は、ＣＰＵ，ＲＯＭ，ＲＡＭ，Ｉ／Ｏなどで構成されるマイクロコンピュータを備えるＥＣＵ（Electric Control Unit。電子制御ユニット）から構成される。
【００５５】
アクセルペダル２０の付近にはアクセル開度センサ８２が設けられて運転者のアクセルペダル操作量に相当するアクセル開度ＡＰに比例する信号を出力する。ブレーキペダル３６の付近にはブレーキスイッチ（ＢＫＳＷ）８４が設けられ、運転者のブレーキペダル操作を示す信号を出力する。
【００５６】
マスタシリンダ４２の導管４２ｂには圧力センサ８６が配置され、運転者のプレーキペダル３６の操作に応じて生成された液圧（ブレーキ液の圧力）、換言すればブレーキ踏力にほぼ相当する圧力を示す出力を生じる。駆動輪１２の付近のドライブシャフト（図示せず）には第１の回転数センサ９０が配置されて駆動輪１２の回転を通じて車速（車両１４の走行速度）を示す信号を出力する。
【００５７】
ポンプ５４の出力軸５４ｂの付近には第２の回転数センサ９２が配置されてポンプ５４の回転数（ＨＡＳ回転数）を示す出力を生じる。流体圧供給回路５２においてポンプ５４の入力側と出力側、およびアキュムレータ５６の付近には第１、第２、第３の圧力センサ９４，９６，１００が配置され、油路５２ｄ，５２ｈの油圧とアキュムレータ５６に蓄圧された油圧（ＡＣＭ圧）に応じた出力を生じる。
【００５８】
流体圧供給回路５２においてリザーバ５２ｂには温度センサ１０２が配置され、油温（ＨＡＳ油温）に応じた信号を出力する。また、電磁クラッチ６２には接点スイッチ１０４が配置され、電磁クラッチ６２が締結（接続）されたときオン信号を出力する。
【００５９】
上記したアクセル開度センサ８２などの出力は、ＨＡＳコントローラ１１０に送られる。ＨＡＳコントローラ１１０も、ＣＰＵ，ＲＯＭ，ＲＡＭ，Ｉ／Ｏなどで構成されるマイクロコンピュータを備えるＥＣＵ（Electric Control Unit。電子制御ユニット）から構成される。
【００６０】
さらに、トルクコンバータ２６とＣＶＴ３０の動作を制御するためにＣＶＴコントローラ１２０が設けられる。ＣＶＴコントローラ１２０もエンジンコントローラ８０とＨＡＳコントローラ１１０と同様にＥＣＵからなる。エンジンコントローラ８０とＨＡＳコントローラ１１０とＣＶＴコントローラ１２０はバス１２２を通じて相互に通信自在に接続される。
【００６１】
ＣＶＴコントローラ１２０にはＣＶＴ３０の入力回転数ＮＤＲ、出力回転数ＮＤＮなどを示す出力を生じる回転数センサ（共に図示せず）の出力が送出される。ＣＶＴコントローラ１２０はそれらセンサの出力とバス１２２を通じてＨＡＳコントローラ１１０などと通信して得た車速、アクセル開度などに基づいてＣＶＴ３０とトルクコンバータ２６の動作を制御する。
【００６２】
より具体的には、ＣＶＴコントローラ１２０は、図３に示す如く、クランク角センサ７０から検出されるエンジン回転数ＮＥが図３の縦軸に示すエンジン回転数（目標値）となるように変速比（レシオ）を制御、具体的には検出値が目標値よりも高いときはハイ側に、逆の場合はロー側に変速比（レシオ）を制御する。尚、エンジン回転数ＮＥに変えてＣＶＴ３０の入力回転数ＮＤＲを用いても良い。
【００６３】
また、エンジンコントローラ８０も同様に入力されたセンサ出力あるいはバス１２２を通じて得た他のコントローラから得た出力に基づいてエンジン１０の燃料噴射や点火時期などの動作を制御すると共に、ＤＢＷ機構２２の動作を制御する。また、ＢＢＷコントローラ（図示せず）も設けられてＢＢＷ機構４４の動作も制御される。
【００６４】
ＨＡＳコントローラ１１０も、同様に入力されたセンサ出力あるいはバス１２２を通じて得た他のコントローラから得た出力に基づいてＨＡＳ５０の動作を制御する。
【００６５】
ＨＡＳ５０の動作の制御について図２を再び参照して説明すると、ＨＡＳコントローラ１１０は、車両１４が定常走行状態にあると判断されるときは中立時と判定してスプール６０ａが図２（ａ）に示す流路を形成するように電磁切換弁６０の電磁ソレノイド６０ｂ１，６０ｂ２への通電を停止する。
【００６６】
また、ＨＡＳコントローラ１１０は、アクセル開度センサ８２などの出力から車両１４が発進あるいは加速状態にあると判断されるときは駆動時と判定して図２（ｂ）に示す流路を形成する一方、ブレーキスイッチ８４などの出力から車両１４が減速状態にあると判断されるときは回生時と判定して図２（ｃ）に示す流路を形成するように電磁ソレノイド６０ｂ１，６０ｂ２への通電を制御する。
【００６７】
図４は上記したＣＶＴコントローラ１２０の動作を示すフロー・チャートである。
【００６８】
以下説明すると、Ｓ１０において第１の回転数センサ９０の出力から車両１４が減速中か否か、より具体的にはアクセル開度センサ８２とブレーキスイッチ８４の出力から車両１４はアクセルペダル２０が踏まれず、ブレーキペダル３６が踏まれる、燃料供給停止（フューエル・カット）可能な状態にあるか否か判断（判定）する。
【００６９】
Ｓ１０で否定されるときは以降の処理をスキップする一方、肯定されるときはＳ１２に進み、減速エネルギの回生が行われるべきか否か判断（判定）する。これはＨＡＳコントローラ１１０に通信することで判断する。
【００７０】
ＨＡＳコントローラ１１０にあっては、車両１０が減速状態にある場合、アキュムレータ５６が油圧（ＡＣＭ圧）を蓄圧可能であるとき、ブレーキ液圧と車速に基づいて減速要求トルクを算出し、そのトルクとなるように電磁切換弁６０の電磁ソレノイド６０ｂ１あるいは６０ｂ２の通電を制御する。
【００７１】
Ｓ１２において否定されるときはＳ１４に進み、目標エンジン回転数を通常値、例えば図３に示す回転数に算出する。
【００７２】
一方、Ｓ１２で肯定されて減速エネルギの回生が行われるべきと判断された場合、Ｓ１６に進み、回生中目標エンジン回転数（エンジン回転数の目標値）を算出する。
【００７３】
この算出は、圧力センサ８６と第１の回転数センサ９０から検出されたブレーキ３４の液圧と車速から、図５に示す特性（マップ）を検索して算出する。図示の如く、目標エンジン回転数はブレーキ３４の液圧と車速が大きくなるほど増加するように算出される。
【００７４】
尚、ＣＶＴコントローラ１２０は図３を参照して前記した如く、Ｓ１４，Ｓ１６で算出された目標エンジン回転数に基づき、検出されたエンジン回転数ＮＥが算出された目標エンジン回転数となるように変速比（レシオ）を減少側（ハイ側）に制御する。
【００７５】
ＣＶＴコントローラ１２０は、Ｓ１６で目標エンジン回転数が算出された場合、検出されたエンジン回転数ＮＥが目標エンジン回転数となるように、図３に符号ａで示す如く、変速比（レシオ）を減少側、より具体的には最もハイ側に制御する。
【００７６】
図６は図４フロー・チャートの処理を示すタイム・チャートである。
【００７７】
図示の如く、Ｓ１６の処理に従い、ＨＡＳ５０による回生中と判断されるとき、目標エンジン回転数を通常時に比して低下した値、具体的にはエンジン１０への燃料供給停止が可能となる範囲、より具体的にはエンジン１０への燃料供給停止を実行するときの実行回転数以上の値に算出する。
【００７８】
上記した如く、この実施例にあっては、車両１４に搭載されるエンジン１０と、前記エンジン１０に接続され、前記エンジンの出力を変速して駆動輪１２に伝達する自動変速機（ＣＶＴ）２６と、運転者の操作自在に設けられるブレーキ（ディスクブレーキ）３４と、前記エンジン１０に連結されると共に、流体圧供給回路５２に配置される流体圧ポンプ／モータ５４と、前記流体圧供給回路５２において前記流体圧ポンプ／モータ５４に接続されるアキュムレータ５６と、前記流体圧供給回路５２に介挿されて通電されるときに前記流体圧ポンプ／モータ５４の動作をポンプとモータの間で切り換える電磁切換弁６０とを備え、前記車両１４の減速時には前記電磁切換弁６０を介して前記流体圧ポンプ／モータ５４を前記エンジン１０で駆動されるポンプとして動作させ、流体圧を吐出させて前記アキュムレータ５６に蓄圧させることで減速エネルギを回生する一方、前記車両１４の発進時または加速時には前記電磁切換弁６０を介して前記流体圧ポンプ／モータ５４をモータとして動作させ、前記アキュムレータ５６に蓄圧された流体圧で前記エンジン１０の駆動をアシストする流体圧アシスト機構（ＨＡＳ）５０とを備えた流体圧アシスト車両の変速制御装置（ＣＶＴコントローラ１２０）において、前記車両１４が減速状態にあるか否か判定する車両減速状態判定手段（Ｓ１０）と、前記車両１４が減速状態にあると判定されるとき、前記流体圧アシスト機構（ＨＡＳ）５０に前記減速エネルギを回生させるべきか否か判定する減速回生要否判定手段（Ｓ１２）と、前記流体圧アシスト機構に前記減速エネルギを回生させるべきと判定されるとき、前記エンジン１０の回転数の目標値を前記エンジン１０への燃料供給停止が可能となる範囲に算出する目標エンジン回転数算出手段（Ｓ１６）と、前記算出された目標エンジン回転数となるように前記自動変速機の変速比を減少側に制御する変速比制御手段（ＣＶＴコントローラ１１０）とを備える如く構成したので、車両１４が減速状態にあると判定されるとき、エンジン１０の回転数の目標値をエンジン１０への燃料供給停止が可能となる範囲に算出し、算出された目標エンジン回転数となるように自動変速機（ＣＶＴ）２６の変速比（レシオ）を減少（ハイ）側に制御することで燃料供給量を減少させて燃費を向上させることができる。
【００７９】
また、流体圧アシスト機構（ＨＡＳ）５０がエンジン１０に連結される流体圧ポンプ／モータ５４と、それに接続されるアキュムレータ５６からなるように構成、換言すれば流体圧アシスト機構がエンジン端側に接続されるように構成したので、自動変速機の変速比を減少側に制御することで、運転者が受ける（アキュムレータ５６による減速エネルギの回生時の）減速感を低減させることができ、ドライバビリティの悪化を防止することができる。
【００８０】
また、エンジン回転数の目標値をエンジン１０への燃料供給停止が可能となる範囲に算出、換言すれば低い値に算出するため、駆動輪１２側のトルクに対してエンジン１０側のトルクを相対的に増加させることができ、よって流体圧ポンプ／モータ５４の回転数を下げてアキュムレータ５６に蓄圧される流体圧を増加させることが可能となる。
【００８１】
また、前記目標エンジン回転数算出手段は、前記エンジン１０の回転数の目標値を、前記エンジン１０への燃料供給停止を実行するときの回転数以上の値として算出する如く構成したので、上記した効果に加え、燃費を確実に向上させることができる。
【００８２】
また、前記目標エンジン回転数算出手段は、少なくとも運転者による前記ブレーキ３４の液圧と前記車両１４の走行速度（車速）とに基づいて前記エンジン１０の回転数の目標値を算出する如く構成したので、上記した効果に加え、燃費を確実に向上させることができる。
【００８３】
尚、上記において作動流体としてエンジン１０の潤滑油を用いたが、それに限られるものではない。作動流体は非圧縮性の流体であれば何でも良く、ブレーキ液、ＡＴＦ、水、空気などであっても良い。
【００８４】
また、エンジンとしてガソリンを燃料とするガソリンエンジンを示したが、それに限られるものではなく、軽油を燃料とするディーゼルエンジンであっても良く、あるいはガソリンエンジン（またはディーゼルエンジン）と電動機とのハイブリッド車両であっても良い。
【００８５】
また、変速機としてＣＶＴ（無段変速機）３０を用いたが、それに限られるものではなく、有段変速機、デュアルクラッチ式などであっても良い。さらにＣＶＴも無端可撓部材がベルトに限られるものではなく、チェーンであっても良い。クラッチ６２も電磁式に代え、湿式であっても良い。
【符号の説明】
【００８６】
１０  エンジン（内燃機関）、１２  駆動輪、１４  車両、１６  スロットルバルブ、２０  アクセルペダル、２２  ＤＢＷ機構、２６  トルクコンバータ、３０  ＣＶＴ（無段変速機）、３４  ディスクブレーキ、３６  ブレーキペダル、４０  マスタバック、４２  マスタシリンダ、４４  ＢＢＷ機構、５０  ＨＡＳ（流体圧供給機構）、５２  流体圧供給回路、５２ａ，５２ｄ，５２ｆ，５２ｇ，５２ｈ，５２ｉ，５２ｋ  油路、５２ｂ  リザーバ、５４  流体圧ポンプ／モータ（ポンプ）、５６  アキュムレータ、６０  電磁切換弁、６０ａ  スプール、６０ｂ１，６０ｂ２  電磁ソレノイド、７０  クランク角センサ、７２  絶対圧センサ、７４  スロットル開度センサ、８０  エンジンコントローラ、８２  アクセル開度センサ、８４  ブレーキスイッチ、８６，９４，９６，１００  圧力センサ、９０，９２  回転数センサ、１０２  温度センサ、１１０  ＨＡＳコントローラ、１２０  ＣＶＴコントローラ、１２２  バス
【図１】
2014105762.tif 000003
【図２】
2014105762.tif 000004
【図３】
2014105762.tif 000005
【図４】
2014105762.tif 000006
【図５】
2014105762.tif 000007
【図６】
2014105762.tif 000008